(57)【要約】  【課題】アーク曲がりの影響を受けない配光を形成できる自動車前照灯用放電バルブを提供する。  【解決手段】  電極4，4を対設した放電発光部（密閉ガラス球）3aを有するアークチューブ3が円筒形状シュラウドガラス管5に覆われたアークチューブ本体2を備え、遮光部（遮光膜）5a,5bと配光制御用リフレクター14により所定のカットラインＣＬをもつ配光パターンを形成する放電バルブ20で、配光パターンにおけるカットラインＣＬに沿った領域に対応するシュラウドガラス管5外表面の光出射領域にのみフロスト処理16を施した。配光スクリーン上のカットラインＣＬに沿って投影されるアーク像は拡大され、拡大アーク像Ａ１の巾が相対的に大きい分、拡大アーク像Ａ１ごとに出現する暗部Ｂ１面積が縮小し、カットラインＣＬの直線度が高められる。フロスト処理領域16を設ける分、シュラウドガラス管5の光直進透過率が下がるが、カットラインＣＬに沿った領域の配光量だけが減り、前照灯として必要な視認性に影響を及ぼす程の放電バルブの出射光量の低下はなく、良好な視認性が得られる。  【選択図】  図８
2006024489.tif 000002
【特許請求の範囲】
【請求項１】
電極が対設された放電発光部である密閉ガラス球を有するアークチューブと、前記アークチューブを覆う円筒形状シュラウドガラス管とを備え、自動車用前照灯の光源として用いた場合に、遮光部と配光制御用のリフレクターとにより所定のクリアカットラインをもつ配光パターンが形成されるように構成された自動車前照灯用放電バルブであって、
前記配光パターンにおけるクリアカットラインに沿った領域に対応する前記シュラウドガラス管外表面の光出射領域にのみフロスト処理が施されたことを特徴とする自動車前照灯用放電バルブ。
【請求項２】
前記フロスト処理領域の少なくとも一部は、前記対向電極間であって該電極間に生成されるアークの湾曲凹部の長手方向略中央部に正対するように延在することを特徴とする請求項１に記載の自動車前照灯用放電バルブ。
【請求項３】
前記フロスト処理領域の少なくとも一部は、前記対向電極間に生成されるアークの最大輝度線に正対するように延在することを特徴とする請求項１または２に記載の自動車前照灯用放電バルブ。
【請求項４】
前記フロスト処理領域は、前記シュラウドガラス管の前記クリアカットライン対応位置を少なくとも下縁とし周方向上方に３度以上２０度以下を上縁とする角度幅に設けられたことを特徴とする請求項１〜３のいずれかに記載の自動車前照灯用放電バルブ。
【請求項５】
前記フロスト処理領域は、前記シュラウドガラス管の左右両側面に周方向同一角度幅に設けられたことを特徴とする請求項１〜４のいずれかに記載の自動車前照灯用放電バルブ。
【請求項６】
前記電極先端に出現するアークスポットと周方向に正対する前記シュラウドガラス管外表面の光出射領域にもフロスト処理が施されたことを特徴とする請求項１〜５のいずれかに記載の自動車前照灯用放電バルブ。
【請求項７】
電極が対設された放電発光部である密閉ガラス球を有するアークチューブと、前記アークチューブを覆う円筒形状シュラウドガラス管とを備え、自動車用前照灯の光源として用いた場合に、遮光部と配光制御用のリフレクターとにより所定のクリアカットラインをもつ配光パターンが形成されるように構成された自動車前照灯用放電バルブであって、
前記電極先端に出現するアークスポットと周方向に正対する前記シュラウドガラス管外表面の光出射領域にのみフロスト処理が施されたことを特徴とする自動車前照灯用放電バルブ。
【発明の詳細な説明】
【技術分野】
【０００１】
本発明は、電極が対設された放電発光部である密閉ガラス球を有するアークチューブと、前記アークチューブを覆う円筒形状シュラウドガラス管とを備え、自動車用前照灯の光源として用いた場合に、配光制御用のリフレクターと遮光部により所定のクリアカットラインをもつ配光パターンが形成されるように構成された自動車前照灯用放電バルブに関する。
【背景技術】
【０００２】
この種の放電バルブを光源とする自動車用前照灯としては、ランプボディと前面カバーで画成された灯室内に、図１５に示すような光源である放電バルブ１を挿着した放物面状リフレクター８が収容されており、放電バルブ１の発光がリフレクター８で反射されて所定の配光が形成される。
【０００３】
光源としての放電バルブ１は、図１５，１６に示すように、アークチューブ３にＵＶカット作用のある円筒形状シュラウドガラス管５を溶着一体化したアークチューブ本体２が、背後の合成樹脂製絶縁性ベース７に組み付け一体化されて、前方に延出する形態に固定保持されている。具体的には、アークチューブ本体２の後端側が絶縁性ベース７の前面側に金具６ａを介して把持固定され、アークチューブ本体２の前端側が絶縁性ベース７から延出する通電路でもあるリードサポート６ｂで支持されている。
【０００４】
アークチューブ３は、その両端部がピンチシールされて長手方向略中央部に発光物質（金属ハロゲン化物および水銀等）を始動用希ガスとともに封入しかつ電極４，４を対設した密閉ガラス球３ａが形成された構造で、対向電極４，４間のアーク放電により発光する。アークチューブ３に溶着一体化された円筒形状のシュラウドガラス管５の外側面には、図１５に示すように、リフレクタ―８の有効反射面８ａに向かう光の一部を遮って鮮明なクリアカットラインを形成するためのピンストライプと称される左右一対の遮光膜５ａ，５ｂが設けられている。また、リフレクター８に挿着されたアークチューブ３の周りには、リフレクター８に固定された金属製の遮光シェード９が設けられて、前方への直射光やリフレクター８の有効反射面８ａ以外に向かう光を遮光するようになっている。
【０００５】
そして、密閉ガラス球３ａには緩衝作用を営む水銀が封入されているが、水銀は地球上の環境汚染の原因となる有害物質であることから、最近では、下記特許文献１に示すように、密閉ガラス球に水銀を封入しない水銀フリーアークチューブの開発が注目されている。
【特許文献１】特開２００２−９３３６９
【発明の開示】
【発明が解決しようとする課題】
【０００６】
発明者は、水銀フリーアークチューブの開発過程で、前記特許文献１に示す水銀フリーアークチューブを試作したところ、以下の問題に直面した。
【０００７】
一般的に自動車用前照灯では、少なくともリフレクター８のバルブ配置位置より上側に形成した有効反射面（多重反射面）８ａによってすれ違いビームを形成する構造であり、リフレクターの有効反射面（多重反射面）８ａを設計するには、図１７に示すように、リフレクター８前方の配光スクリーン上に、光源像（アークチューブの放電発光部であるアーク像）をクリアカットライン・エルボー部Ｏを中心に放射状に投影する（貼り付ける）ことで設計するが、密閉ガラス球３ａに水銀を封入しない分、アーク曲がりが大きく、クリアカットラインＣＬに沿って投影された光源像（アーク像）Ａ毎に暗部（図１８の斜線部Ｂ参照）が目立ち、クリアカットラインＣＬが波線状で真っ直ぐとならず、それだけ視認性が悪いという第１の問題が生じた。
【０００８】
また、水銀を封入しない分、アークが細く、車両走行中等に発生する振動によりアークが揺れ、この結果、クリアカットラインＣＬが上下に揺れる配光揺れにより視認性が悪いという第２の問題、さらには、電極先端に形成されるアークスポットが明るすぎて、配光ムラが目立ち、それだけ視認性が悪いという第３の問題が生じた。
【０００９】
なお、前記第１，第２，第３の問題については、水銀フリーアークチューブに限るものではなく、程度の差こそあれ、従来の水銀入りアークチューブについても言えることである。
【００１０】
そこで、発明者は、シュラウドガラス管にフロスト処理を施してアークの発光やアークスポットを拡散させてやれば、配光スクリーンに投影される（貼り付ける）アーク像やアークスポット像が拡大されるため、アーク像の暗部やアークスポット像が目立たなくなって、前記した問題が解消されるのではないかと考え、アークチューブを試作しその効果の程を確認したところ、非常に有効であることが確認されたので、この度、本発明を提案するに至ったものである。
【００１１】
本発明は前記した従来技術の問題点および発明者の知見に基づいてなされたもので、その第１の目的は、アーク曲がりの影響を受けない配光を形成できる自動車前照灯用放電バルブを提供することであり、その第２の目的は、アークスポットの影響を受けない配光を形成できる自動車前照灯用放電バルブを提供することである。
【課題を解決するための手段】
【００１２】
前記第１の目的を達成するために、請求項１に係る自動車前照灯用放電バルブにおいては、電極が対設された放電発光部である密閉ガラス球を有するアークチューブと、前記アークチューブを覆う円筒形状シュラウドガラス管とを備え、自動車用前照灯の光源として用いた場合に、遮光部と配光制御用のリフレクターとにより所定のクリアカットラインをもつ配光パターンが形成されるように構成された自動車前照灯用放電バルブであって、
前記配光パターンにおけるクリアカットラインに沿った領域に対応する前記シュラウドガラス管外表面の光出射領域にのみフロスト処理を施すように構成した。
【００１３】
そして、この種の放電バルブにおいて、所定のクリアカットラインを形成する遮光部の具体的な構成としては、シュラウドガラス管外表面に設けたピンストライプと称される遮光膜または／およびシュラウドガラス管とリフレクター間に設けた金属製の遮光シェードで構成する場合が考えられる。
【００１４】
即ち、前方への直射光やリフレクターの有効反射面（前照灯の配光形成に寄与する所定の有効反射面）以外に向かう光を遮光するため、放電バルブの周りには、例えばリフレクターに取着する等して一般に金属製の遮光シェードを設けるが、所定のクリアカットラインを形成する遮光部を、シュラウドガラス管の外表面に設けた遮光膜と金属製遮光シェード（の一部）の双方で構成する場合は、クリアカットラインに対応する遮光膜（形成位置）に整合するように金属製遮光シェード（の一部）を形成する必要があるが、放電中心に対し遮光膜（遮光部）の位置よりもリフレクターに近い位置にある遮光シェード（遮光部）の存在により、鮮明なクリアカットラインが得られる。
【００１５】
また、所定のクリアカットラインを形成する遮光部を、シュラウドガラス管外表面に設けた遮光膜（ピンストライプ）でのみ構成する場合は、この金属製の遮光シェードは前方への直射光やリフレクターの有効反射面以外に向かう光を遮光するためにのみ使用される（クリアカットライン形成用遮光部としては利用しない）ので、クリアカットラインに対応する遮光膜（形成位置）に整合するように金属製の遮光シェードを配置する煩わしさがない。
【００１６】
また、フロスト処理とは、サンドブラスト，レーザ照射，化学エッチング，熱加工または塗料の塗布などにより、シュラウドガラス管の外表面に出射光を拡散させるためのシボ（梨地）を形成する処理をいう。
【００１７】
（作用）放電発光部である密閉ガラス球の発光は、配光制御用のリフレクターと遮光部（例えば、シュラウドガラス管の外表面に設けた遮光膜）によって所定のクリアカットラインをもつ配光が形成されるように構成されているが、リフレクターの有効反射面（多重反射面）を設計するには、図１７に示すように、リフレクター前方の配光スクリーン上に、光源像（アークチューブの放電発光部であるアーク像）をクリアカットライン・エルボー部Ｏを中心に放射状に投影する（貼り付ける）ことで設計されている。このため、配光スクリーン上のクリアカットラインＣＬに沿って投影された湾曲アーク像の湾曲凹部側暗部Ｂが連続し、クリアカットラインＣＬが波線状（図１８参照）となるおそれがある。しかし、配光パターンにおけるクリアカットラインＣＬに沿った領域に対応するシュラウドガラス管の光出射領域（フロスト処理領域）から出射する光は拡散されるので、図７に示されるように、配光スクリーン上のクリアカットラインＣＬに沿って投影されるアーク像Ａ１は非拡散光のみによって形成される従来のアーク像Ａに比べて拡大され、拡大アーク像Ａ１それぞれの巾が相対的に大きくなる分、拡大アーク像Ａ１の湾曲凹部に出現する暗部Ｂ１の形状が従来の暗部に比べその面積が縮小し、クリアカットラインＣＬが真っ直ぐな状態に近づく。
【００１８】
また、フロスト処理領域の面積が広すぎると、シュラウドガラス管における光の直進透過率が下がり放電バルブの出射光量（前照灯としての配光量）の低下につながるが、前照灯の配光パターンにおけるクリアカットラインに沿った領域に対応するシュラウドガラス管外表面の光出射領域にのみフロスト処理領域を設けたので、クリアカットラインに沿った領域における配光量だけが僅かに減少するにとどまり、視認性に影響を与える程の放電バルブの出射光量（前照灯の配光量）の低下はない。
【００１９】
また、配光スクリーン上のクリアカットラインに沿って投影されるアーク像Ａ１は、拡大される分だけ太く、しかも配光パターンにおけるクリアカットラインに沿った領域の配光量が僅かに低下することで、クリアカットラインの過度の鮮明度が緩和されて、車両走行中等に発生する振動によりアークが揺れたとしても、クリアカットラインＣＬが上下に揺れる配光揺れは目立たない。
【００２０】
請求項２においては、請求項１に記載の自動車前照灯用放電バルブにおいて、  前記フロスト処理領域の少なくとも一部が前記対向電極間であって該電極間に生成されるアークの湾曲凹部の長手方向略中央部に正対して延在するように構成した。
【００２１】
（作用）リフレクターの有効反射面のうち配光パターンのクリアカットラインに沿ってアーク像を投影する分割反射面およびこの分割反射面に向かう光が出射する領域は、放電軸を含む水平面にほぼ沿ったシュラウドガラス管の左右両側にあるので、アークの最大前後長さに相当する電極間距離（位置）内であって、アークの湾曲凹部長手方向略中央部と左右に正対する位置にフロスト処理領域の一部を設けることで、配光スクリーン上のクリアカットラインに沿って投影されるアーク像の少なくとも湾曲凹部側が拡大されて、拡大されたアーク像の巾が相対的に大きくなる。このため、クリアカットラインの直線度が高められるとともに、フロスト処理領域の不必要な拡大に伴うシュラウドガラス管における光の直進透過率の低下が抑制されて、放電バルブの出射光量（前照灯の配光量）の低下も僅かとなる。
【００２２】
請求項３においては、請求項１または２に記載の自動車前照灯用放電バルブにおいて、前記フロスト処理領域の少なくとも一部が前記対向電極間に生成されるアークの最大輝度線に正対して延在するように構成した。
【００２３】
（作用）対向電極間に生成されるアークの最大輝度線位置はアークの中でも輝度が高い位置であり、配光スクリーン上のクリアカットラインに沿って投影される拡大アーク像の最大輝度線対応部位が少なくとも拡大されて、拡大アーク像の光量が平滑化される。
【００２４】
請求項４においては、請求項１〜３のいずれかに記載の自動車前照灯用放電バルブにおいて、前記フロスト処理領域を、前記シュラウドガラス管の前記クリアカットライン対応位置を少なくとも下縁とし周方向上方に３度以上２０度以下を上縁とする角度幅に設けるように構成した。
【００２５】
（作用）フロスト処理領域の上縁位置が２０度を超えると、フロスト処理領域の面積が増える分、クリアカットラインに沿った領域を超えた領域における配光量が低下し、視認性が低下する。一方、フロスト処理領域の上縁位置が３度未満では、配光パターンのクリアカットラインに沿って投影されるアーク像全体（特に拡大アーク像の湾曲凹部側）が十分拡大されず、拡大アーク像それぞれの巾がそれほど大きくならず、クリアカットラインを真っ直ぐな状態に近づける上での効果がない。
【００２６】
また、シュラウドガラス管におけるクリアカットライン対応位置より下方の位置からの出射光は、クリアカットライン形成用の遮光部（遮光膜または／および遮光シェード）により遮光されて前照灯の配光形成に全く寄与しない光であるため、フロスト処理領域の下縁をシュラウドガラス管におけるクリアカットライン対応位置よりも下方にしたとしても配光上の問題はないが、クリアカットライン対応位置をフロスト処理領域の下縁とすることで、フロスト加工処理を行う面積が少なくて済む。
【００２７】
請求項５においては、請求項１〜４のいずれかに記載の自動車前照灯用放電バルブにおいて、前記フロスト処理領域を前記シュラウドガラス管の左右両側面に周方向同一角度幅に設けるように構成した。
【００２８】
（作用）左配光仕様の前照灯と右配光仕様の前照灯とでは、それぞれの配光パターンにおけるクリアカットライン（の形状）が左右対称となるように、クリアカットライン形成用の遮光部（遮光膜または／および遮光シェード）の形態（形状）が異なっているが、シュラウドガラス管の左右両側面に設けたフロスト処理領域を周方向同一角度幅にすることで、それぞれの仕様の前照灯のバルブ挿着孔に対する放電バルブの挿着位置を周方向に所定角度ずらした位置とすることで、それぞれの仕様の前照灯の光源として使用できる。
【００２９】
請求項６においては、請求項１〜５のいずれかに記載の自動車前照灯用放電バルブにおいて、前記電極先端に出現するアークスポットと周方向に正対する前記シュラウドガラス管外表面の光出射領域にもフロスト処理を施すように構成した。
【００３０】
（作用）アーク放電の際、対向電極先端にはアークスポットと呼ばれる輝度の非常に高い部位が出現するが、アークスポットと周方向に正対するシュラウドガラス管の光出射領域（フロスト処理領域）から出射する光は拡散されるので、配光スクリーン上に投影される全てのアーク像におけるアークスポット部が拡大されて、その輝度が低下し、配光パターンの中にアークスポット部が特に目立つことがなくなって、配光ムラのない配光となる。
【００３１】
また、配光スクリーン上に投影されるアーク像におけるアークスポットを拡大させるべく作用するフロスト処理領域は、シュラウドガラス管外表面における電極先端に出現するアークスポットと周方向に正対する領域に限られるので、投影される全てのアーク像におけるアークスポット部位における配光量だけが減少するにとどまり、視認性に影響を及ぼす程の放電バルブの出射光量（前照灯の配光量）の低下はない。
【００３２】
前記第２の目的を達成するために、請求項７に係る自動車前照灯用放電バルブにおいては、電極が対設された放電発光部である密閉ガラス球を有するアークチューブと、前記アークチューブを覆う円筒形状シュラウドガラス管とを備え、自動車用前照灯の光源として用いた場合に、遮光部と配光制御用のリフレクターとにより所定のクリアカットラインをもつ配光パターンが形成されるように構成された自動車前照灯用放電バルブであって、
前記電極先端に出現するアークスポットと周方向に正対する前記シュラウドガラス管外表面の光出射領域にのみフロスト処理を施すように構成した。
【００３３】
所定のクリアカットラインを形成する遮光部の具体的な構成およびシュラウドガラス管外表面に施すフロスト処理の定義は、既に請求項１において説明したので、重複した説明は省略する。
【００３４】
（作用）また、配光制御用のリフレクターおよび遮光部と前照灯の配光との関係も、請求項１において説明した構成と同様で、リフレクターの有効反射面（多重反射面）は、図１７に示すように、リフレクター前方の配光スクリーン上に、光源像（アークチューブの放電発光部であるアーク像）をクリアカットライン・エルボー部Ｏを中心に放射状に投影する（貼り付ける）ことで設計されている。このため、アーク放電の際に対向電極先端（アークの端部）に出現するアークスポットと呼ばれる輝度の非常に高い部位が、配光スクリーン上に投影された各アーク像の端部にアークスポット部として現れる。しかし、アークスポットと周方向に正対するシュラウドガラス管の光出射領域（フロスト処理領域）から出射する光は拡散されるので、配光スクリーン上に投影される全てのアーク像におけるアークスポット部が拡大されて、その輝度が低下し、配光パターン中にアークスポット部が特に目立つことのない（配光ムラのない）配光となる。
【００３５】
また、フロスト処理領域の面積が広すぎると、シュラウドガラス管における光の直進透過率が下がり放電バルブの出射光量（前照灯としての配光量）の低下につながるが、フロスト処理領域はアークスポットと周方向に正対するシュラウドガラス管外表面の光出射領域に限られるので、投影される全てのアーク像におけるアークスポット部位における配光量だけが減少するにとどまり、視認性に影響を及ぼす程の放電バルブの出射光量（前照灯の配光量）の低下はない。
【発明の効果】
【００３６】
本発明に係る自動車前照灯用放電バルブよれば、前照灯の配光におけるクリアカットラインが真っ直ぐとならず視認性が悪いという第１の問題およびクリアカットラインが上下に揺れる配光揺れにより視認性が悪いという第２の問題がそれぞれ解消されて、自動車の安全走行に貢献できる。
【００３７】
請求項２によれば、前照灯の配光におけるクリアカットラインの直線性と配光量の確保が効果的に達成されるので、自動車の安全走行に一層貢献できる。
【００３８】
請求項３によれば、配光スクリーン上のクリアカットラインに沿って投影される拡大アーク像の光量が平滑化されることで、前照灯の配光におけるクリアカットラインのさらなる直線性が確保されて、自動車の安全走行にさらに一層貢献できる。
【００３９】
請求項４によれば、配光パターンのクリアカットラインに沿った領域以外の領域では配光量が低下しないので、前照灯としての視認性が十分確保されるとともに、フロスト加工処理面積が少なくて済む分、フロスト加工処理も容易となる。
【００４０】
請求項５によれば、左配光仕様の前照灯と右配光仕様の前照灯のいずれにも共用できるので、仕様に合わせた放電バルブを用意する必要がなくなって、それだけ放電バルブを安価に提供できる。
【００４１】
請求項６によれば、リアカットラインが真っ直ぐとならず視認性が悪いという第１の問題、クリアカットラインが上下に揺れる配光揺れにより視認性が悪いという第２の問題、さらには配光ムラが目立つため視認性が悪いという第３の問題がそれぞれ解消されて、自動車の安全走行に確実に貢献できる。
を提供できる。
【００４２】
請求項７に係る自動車前照灯用放電バルブよれば、配光ムラが目立つため視認性が悪いという第３の問題が解消されて、自動車の安全走行に貢献できる。
【発明を実施するための最良の形態】
【００４３】
次に、本発明の実施の形態を説明する。
【００４４】
図１〜図１４は本発明の第１の実施の形態を示すもので、図１は本発明の第１の実施の形態である放電バルブを光源として適用した自動車用前照灯の正面図、図２は同前照灯の縦断面図（図１に示す線ＩＩ−ＩＩに沿う断面図）、図３は同放電バルブの縦断面図、図４は遮光シェードの斜視図、図５は同前照灯の配光パターンを示す図、図６は光源ユニットにおけるアークチューブの放電軸を含む水平断面図、図７は配光パターンにおけるクリアカットラインに沿った領域の一部拡大正面図、図８はシュラウドガラス管に設けるフロスト処理領域の位置とその大きさを示す図、図９はフロスト処理領域の位置およびその大きさを異にする仕様１〜４を示す図、図１０は仕様１〜４それぞれについてのアーク像の形状（拡散距離と曲がり）を示す図、図１１は仕様１〜４それぞれについての配光性能（最大光度，最大光度位置，有効利用光束）を示す図、図１２は仕様１〜４それぞれについてのクリアカットラインの暗部に対する評価結果を示す図、図１３は仕様１〜４それぞれについての配光揺れに対する評価結果を示す図、図１４は仕様１〜４それぞれについての配光ムラに対する評価結果を示す図である。
【００４５】
図１，２において、符号１０は、本発明の第１の実施の形態である放電バルブを光源として適用した自動車用前照灯で、ランプボディ１１と透明レンズカバー１２により画成された灯室空間には、光源である放電バルブ２０と遮光シェード１５をリフレクター１４に一体化した光源ユニットＵが収容されて、図５に示すすれ違いビーム形成用の配光パターンＰＡ（ＰＡ１，ＰＡ２）が形成されるように構成されている。また、ランプボディ１１と光源ユニットＵ（リフレクター１４）間には、図示しないエイミング機構が介装されて、光源ユニットＵの光軸（前照灯の光軸）Ｌを上下左右方向に傾動調整（図５に示す配光パターンＰＡを上下左右方向に傾動調整）できるように構成されている。
【００４６】
放電バルブ２０は、図３に拡大して示すように、アークチューブ３にＵＶカット作用のある円筒形状シュラウドガラス管５を溶着一体化したアークチューブ本体２が、合成樹脂製絶縁性ベース７に組み付け一体化されて、前方に延出する形態に固定保持されている。具体的には、アークチューブ本体２の後端側が絶縁性ベース７の前面側に金具６ａを介して把持固定され、アークチューブ本体２の前端側が絶縁性ベース７から延出する通電路でもあるリードサポート６ｂで支持されている。そして、放電バルブ２０は、リフレクター１４の後頂部に設けられたバルブ挿着孔Ｈに挿着されて、光源ユニットＵとして一体化されている。符号１８は、ランプボディ１１の底面に取着されたバラスト回路（図示せず）から延びる給電ケーブル１８接続用のコネクタ１９である。
【００４７】
アークチューブ３は、その両端部がピンチシールされて長手方向略中央部に発光物質（金属ハロゲン化物等）や水銀に代わる緩衝物質等を始動用希ガスとともに封入しかつ電極４，４を対設した密閉ガラス球３ａが形成された構造（水銀を封入しない水銀フリーアークチューブ）で、対向電極４，４間のアーク放電により発光する。アークチューブ３に溶着一体化された円筒形状のシュラウドガラス管５の外側面には、図１５に示すように、リフレクター１４の有効反射面１４ａ，１４ｂに向かう光の一部を遮って鮮明なクリアカットラインＣＬ（１５度カットラインＣＬ１および水平カットラインＣＬ２）を形成するためのピンストライプと称される遮光膜５ａ，５ｂ（図８（ｂ）および図１５参照）が設けられている。
【００４８】
また、アークチューブ３の周りには、前方への直射光やリフレクター１４の有効反射面１４ａ，１４ｂ以外に向かう光を遮光するための金属製の遮光シェード１５（図２，４参照）が設けられている。即ち、遮光シェード１５は、図４に示すように、前方への直射光を遮る前端側の遮光キャップ１５ａと、リフレクター１４の有効反射面１４ａ，１４ｂ以外の領域に向かう光を遮る中央の遮光円筒部１５ｂと、リフレクター１４への取着部である後端側の脚部１５ｃで構成されている。そして、脚部１５ｃをリフレクター１４に固定することで、リフレクター１４の有効反射面１４ａ，１４ｂと放電バルブ２０の放電中心Ｃおよび遮光部（ピンストライプ）５ａ，５ｂに対して位置決めされた形態となる。
【００４９】
遮光円筒部１５ｂには、リフレクター１４の第１，第２の有効反射面１４ａ，１４ｂ（バルブ挿着孔Ｈの中心より主に上側に設けられた左右に広い第１の有効反射面１４ａ、バルブ挿着孔Ｈのほぼ真下に設けられた比較的に小さい第２の有効反射面１４ｂ）にそれぞれ対応する開口部１５ｂ１，１５ｂ２が設けられている。そして、図５に示すように、放電発光部である密閉ガラス球３ａの発光が開口部１５ｂ１，１５ｂ２を介してリフレクター１４の第１，第２の有効反射面１４ａ，１４ｂにそれぞれ導かれ、第１の有効反射面１４ａで反射された光Ｌ１により、クリアカットラインＣＬ（１５度カットラインＣＬ１および水平カットラインＣＬ２）をもつ第１の配光パターンＰＡ１が形成され、第２の有効反射面１４ｂで反射された光Ｌ２により、水平位置Ｈ−Ｈより幾分下方で左右に大きく拡散した第２の配光パターンＰＡ２が形成され、両配光パターンＰＡ１，ＰＡ２が合成されてすれ違いビームの配光パターンＰＡが形成される。
【００５０】
なお、遮光シェード１５がリフレクター１４に固定されて光源ユニットＵとして一体化されたときに、開口部１５ｂ１の左右の側縁１５ｂ３，１５ｂ４はシュラウドガラス管５の外側面に設けられているクリアカットラインＣＬ（１５度カットラインＣＬ１および水平カットラインＣＬ２）形成用の遮光膜（ピンストライプ）５ａに整合する位置に配置される形態となって、クリアカットラインＣＬ（１５度カットラインＣＬ１および水平カットラインＣＬ２）を鮮明にするべく機能する。
【００５１】
即ち、リフレクター１４は、図１，２に示すように、前後に延びる光軸を中心軸とする回転放物面を基準面とする複数の曲率の異なる有効反射面素子１４ａ１〜１４ａ４、１４ｂ１で構成されている。具体的には、例えば、図１７に示すように、リフレクター１４前方の配光スクリーン上に各反射面素子１４ａ１〜１４ａ４、１４ｂ１による光源像（アークチューブ３の放電発光部であるアーク像）がクリアカットライン・エルボー部Ｏを中心に放射状に並ぶように投影し（貼り付け）、前照灯としての所定の配光パターンで所定の配光量が得られるようにリフレクター１４の有効反射面１４ａ，１４ｂ（各反射面素子１４ａ１〜１４ａ４、１４ｂ１）が設計されている。
【００５２】
また、配光パターンＰＡ１におけるクリアカットラインＣＬ（１５度カットラインＣＬ１および水平カットラインＣＬ２）に沿った領域に対応するシュラウドガラス管５外表面の光出射領域（遮光部であるピンストライプ５ａ，５ｂに沿った領域）には、図８に示すように、出射光を拡散させるフロスト処理領域１６が帯状に延在して設けられている。なお、フロスト処理とは、サンドブラスト，レーザ照射，化学エッチング，熱加工または塗料の塗布などにより、シュラウドガラス管５の外表面に出射光を拡散させるためのシボ（梨地）を形成することをいう。
【００５３】
このため、配光パターンのクリアカットラインＣＬ（１５度カットラインＣＬ１および水平カットラインＣＬ２）に沿って投影された湾曲アーク像は、図７に拡大して示されるように、いずれも拡散光によって拡大されたものとなる。即ち、拡大アーク像Ａ１（図７において破線で示す）は、フロスト処理領域１６が設けられていないため非拡散光のみによって投影された従来のアーク像Ａ（図７において実線で示す）に対しいずれも拡大されたもので、拡大アーク像Ａ１それぞれの巾が相対的に大きくなる分、拡大アーク像Ａ１の湾曲凹部に出現する暗部Ｂ１形状が細くなって暗部Ｂ１の面積が縮小し、クリアカットラインＣＬが真っ直ぐな状態に近づく。
【００５４】
また、フロスト処理領域１６の面積が広すぎると、シュラウドガラス管５における光の直進透過率が下がり放電バルブ２０の出射光量（前照灯としての配光量）の低下につながるが、前照灯の配光パターンＰＡ１におけるクリアカットラインＣＬ１，ＣＬ２に沿った領域に対応するシュラウドガラス管５外表面の光出射領域（ピンストライプ５ａ，５ｂに沿った領域）にのみフロスト処理領域１６を設けたので、クリアカットラインＣＬに沿った領域における配光量だけが僅かに減少するにとどまり、視認性に影響を与える程の放電バルブ２０の出射光量（前照灯の配光量）の低下はない。
【００５５】
また、配光スクリーン上のクリアカットラインＣＬに沿って投影されるアーク像Ａ１は、拡大される分だけ太く、しかも配光パターンにおけるクリアカットラインＣＬに沿った領域の配光量が僅かに低下することで、クリアカットラインＣＬの過度の鮮明度が緩和されて、車両走行中等に発生する振動によりアークが揺れたとしても、クリアカットラインＣＬが上下に揺れる配光揺れは目立たない。
【００５６】
また、フロスト処理領域１６における拡散度としては、直線透過率３０％〜８０％の範囲が望ましい。直線透過率が３０％未満では、出射光が二次光源となってグレア光が発生するおそれがあり、一方、直線透過率が８０％を超えると、出射光の拡散が不十分なためアーク像を拡大して湾曲凹部側の暗部を狭める効果に乏しいためである。
【００５７】
図８はシュラウドガラス管５に設けるフロスト処理領域１６の位置とその大きさを示す図で、（ａ）はアークチューブ本体の縦断面図、（ｂ）はアークチューブ本体の横断面図（図８（ａ）に示す線（ａ）−（ａ）に沿った断面図）で、フロスト処理領域１６は、配光パターンにおけるクリアカットラインＣＬに沿った領域に対応するシュラウドガラス管５外表面の光出射領域に設けることは勿論であるが、次のようにその具体的位置が設定されている。
【００５８】
第１に、フロスト処理領域１６は、対向電極４，４間であって該電極４，４間に生成されるアークａの湾曲凹部の長手方向略中央部に正対するように延在することが望ましい。即ち、リフレクター１４の有効反射面のうち配光パターンのクリアカットラインＣＬ（ＣＬ１，ＣＬ２）に沿ってアーク像を投影する分割反射面１４ａ１，１４ａ２およびこれらの分割反射面１４ａ１，１４ａ２に向かう光が出射する領域は、放電軸Ｌｏを含む水平面にほぼ沿ったシュラウドガラス管５の左右両側にあるので、アークａの最大前後長さに相当する電極４，４間距離（位置）内であって、アークａの湾曲凹部長手方向略中央部と左右に正対する位置にフロスト処理領域１６を設けると、配光スクリーン上のクリアカットラインに沿って投影されるアーク像の少なくとも湾曲凹部側が拡大されて、拡大アーク像Ａ１の巾が相対的に大きくなる。
【００５９】
この結果、クリアカットラインＣＬ（ＣＬ１，ＣＬ２）の直線度が高められるとともに、フロスト処理領域１６の不必要な拡大に伴うシュラウドガラス管５における光の直進透過率の低下が抑制されて、放電バルブ２０の出射光量（前照灯の配光量）の低下も僅かで、前照灯の配光におけるクリアカットラインＣＬ（ＣＬ１，ＣＬ２）の直線性と配光量の確保が効果的に達成される。
【００６０】
第２に、対向電極４，４間に生成されるアークａの中でも最大輝度線ｌａ位置における輝度が高いので、このアークａの最大輝度線ｌａに正対するようにフロスト処理領域１６を延在させることが望ましい。
【００６１】
このように規定すれば、配光スクリーン上のクリアカットラインＣＬに沿って投影される拡大アーク像Ａ１の最大輝度線対応部位が少なくとも拡大されて、拡大アーク像Ａ１の光量が平滑化され、前照灯の配光におけるクリアカットラインＣＬ（ＣＬ１，ＣＬ２）のさらなる直線性が確保される。
【００６２】
第３に、フロスト処理領域１６は、シュラウドガラス管５のクリアカットラインＣＬ（ＣＬ１，ＣＬ２）対応位置（遮光膜であるピンストライプ５ａ，５ｂ位置）を少なくとも下縁とし周方向上方に３度以上２０度以下を上縁とする角度幅に設定することが望ましい。
【００６３】
フロスト処理領域１６の上縁位置が２０度を超えると、フロスト処理領域１６の面積が増える分、クリアカットラインＣＬ（ＣＬ１，ＣＬ２）に沿った領域を超えた領域における配光量が低下し、視認性が低下する。一方、フロスト処理領域１６の上縁位置が３度未満では、配光パターンのクリアカットラインＣＬ（ＣＬ１，ＣＬ２）に沿って投影されるアーク像全体（特に拡大アーク像の湾曲凹部側）が十分拡大されず、拡大アーク像それぞれの巾がそれほど大きくならず、クリアカットラインＣＬ（ＣＬ１，ＣＬ２）を真っ直ぐな状態に近づける上での効果がない。
【００６４】
また、シュラウドガラス管５におけるクリアカットライン対応位置より下方の位置からの出射光は、遮光膜（ピンストライプ）５ａ，５ｂまたは／および遮光シェード１５により遮光されて前照灯の配光の形成に全く寄与しない光であるため、フロスト処理領域１６の下縁をシュラウドガラス管５におけるクリアカットライン対応位置よりも下方にしたとしても配光上の問題はないが、フロスト処理領域１６の下縁を遮光膜（ピンストライプ）５ａ，５ｂに一致させることで、フロスト加工処理を行う面積が少なくて済む。
【００６５】
第４に、フロスト処理領域１６をシュラウドガラス管５の左右両側面に周方向同一角度幅θに設けることが望ましい。
【００６６】
このように規定すれば、左配光仕様の前照灯に適用した本実施例の形態における放電バルブ２０を、右配光仕様の前照灯にも使用できる。
【００６７】
即ち、左配光仕様の前照灯と右配光仕様の前照灯とでは、それぞれの配光パターンにおけるクリアカットラインＣＬ（ＣＬ１，ＣＬ２）が左右対称となるように、クリアカットライン形成用の遮光膜（ピンストライプ）５ａ，５ｂおよび遮光シェード１５の形態（形状）が異なっているが、シュラウドガラス管５の左右両側面に設けたフロスト処理領域１６は周方向同一角度幅θであることから、右配光仕様の前照灯のバルブ挿着孔に対する放電バルブ２０の挿着位置を左配光仕様の場合の挿着位置に対し周方向に所定角度ずらした位置に挿着するように構成する（右配光仕様の前照灯のバルブ挿着孔では、前照灯正面視左側（バルブ後方視右側）の遮光膜５ａが水平位置で、同右側（バルブ後方視左側）の遮光膜５ｂが１５度下方となるように位置決めする）ことで、右配光仕様の前照灯にも使用できる。
【００６８】
第５に、図８（ａ）における仮想線（符号１７）および図９の仕様４における符号１７で示すように、電極４先端に出現するアークスポットと周方向に正対するシュラウドガラス管５外表面の光出射領域にも、フロスト処理領域１６と同様の出射光拡散作用を営むフロスト処理領域１７を所定巾の帯状に設けることが望ましい。
【００６９】
このように規定すれば、アーク放電の際、対向電極５，５先端にはアークスポットと呼ばれる輝度の非常に高い部位が出現するが、アークスポットに正対するシュラウドガラス管５の光出射領域（フロスト処理領域）１７から出射する光は拡散されるので、配光スクリーン上に投影される全てのアーク像におけるアークスポット部が拡大されて、その輝度が低下し、配光パターンの中にアークスポット部が特に目立つことがなくなって、配光ムラのない配光となる。
【００７０】
また、配光スクリーン上に投影されるアーク像におけるアークスポットを拡大させるべく作用するフロスト処理領域１７は、シュラウドガラス管５外表面における電極４先端に出現するアークスポットと周方向に正対する領域に限られるので、配光スクリーン上に投影される全てのアーク像におけるアークスポット部位における配光量だけが減少するにとどまり、視認性に影響を及ぼす程の放電バルブ２０の出射光量（前照灯の配光量）の低下はない。
【００７１】
図９はフロスト処理領域１６の位置および大きさを異にする仕様１〜４を示す図で、仕様１〜４は、いずれも配光パターンにおけるクリアカットラインＣＬ（ＣＬ１，ＣＬ２）に沿った領域に対応するシュラウドガラス管５外表面の光出射領域にのみフロスト処理領域１６が設けられたもので、いずれの仕様におけるフロスト処理領域１６も展開した形状は矩形状で、その下縁位置は遮光膜（ピンストライプ）５ａの上縁に一致し、対向電極４，４間（電極間を距離４．２ｍｍ）の中央位置に設けられている。さらに、仕様４は、電極４先端のアークスポットに対応するシュラウドガラス管５外表面の光出射領域にもフロスト処理領域１７が設けられている。
【００７２】
そして、仕様１では、フロスト処理領域１６の長手方向の長さは１．０ｍｍで、フロスト処理領域１６の上縁が最大輝度線より下となる周方向８度の角度幅に設けられている。
【００７３】
仕様２では、フロスト処理領域１６の長手方向の長さが１．０ｍｍで、フロスト処理領域１６の上縁がアーク湾曲最大凸部に接する周方向１８度の角度幅に設けられている。
【００７４】
仕様３では、フロスト処理領域１６の長手方向の長さが２．５ｍｍで、フロスト処理領域１６の上縁がアーク湾曲最大凸部に接する周方向１８度の角度幅に設けられている。
【００７５】
仕様４では、フロスト処理領域１６の長手方向の長さが３．８ｍｍで、フロスト処理領域１６の上縁がアーク湾曲最大凸部に接する周方向１８度の角度幅に設けられている。さらに、アークスポットと周方向に正対する領域にもフロスト処理領域１７が設けられて、左右一対のフロスト処理領域１６につながっている。即ち、このフロスト処理領域１７は、その下縁位置が左右の遮光膜（ピンストライプ）５ａ，５ｂの上縁に一致し、左右一対のフロスト処理領域１６につながる、アークスポットを取り囲む幅０．４ｍｍの帯状に設けられている。
【００７６】
そして、図１０は、フロスト処理を施さない従来のアークチューブを備えた放電バルブと仕様１〜４のアークチューブを備えた放電バルブをそれぞれ光源として挿着した前照灯の配光を配光スクリーンに照射して、配光パターンにおけるクリアカットラインＣＬ（ＣＬ１，ＣＬ２）に沿った領域におけるアーク像の形状から、拡散度（ｍｍ）と曲がり（ｍｍ）を測定したデータである。
【００７７】
アーク像の曲がりに関しては、仕様１〜４のいずれにおいても、フロスト処理を施さない従来例とほとんど変わらないが、アーク像の拡散度に関しては、従来例に対して、仕様１〜４はいずれも拡散度が高く、特に仕様４の拡散度が最も高いことがわかる。
【００７８】
図１１は、フロスト処理を施さない従来のアークチューブを備えた放電バルブと仕様１〜４のアークチューブを備えた放電バルブをそれぞれ光源として挿着した前照灯の配光を配光スクリーンに照射して、配光性能（最大光度，最大光度位置，有効利用光束）を測定したデータである。
【００７９】
最大光度に関しては、フロスト処理領域を設けた仕様１〜４のいずれにおいても、フロスト処理を施さない従来例に比べて低下するが、１９３２２ｃｄという非常に大きな光度の最大約１％の低下に過ぎず、配光上問題ない。また、最大光度位置に関しては、左下に僅かに（下方に最大約１０％、左側に最大約５％）移動するが、配光上問題ない。また、所定範囲の有効利用光束についても、最大約４％の増加で、配光上問題ない。
【００８０】
図１２，１３，１４は、フロスト処理を施さない従来のアークチューブを備えた放電バルブと仕様１〜４のアークチューブを備えた放電バルブをそれぞれ光源として挿着した前照灯の配光を配光スクリーンに照射して、被験者１０人によりクリアカットラインの暗部，配光揺れ，配光ムラについて気になるか否かという視認実験の評価結果である。
【００８１】
クリアカットラインＣＬ（ＣＬ１，ＣＬ２）の暗部に関しては、図１２に示すように、フロスト処理を施さない従来例では、気になるとの評価が多いのに対し、フロスト処理領域を設けた仕様１〜４のいずれにおいても、気にならないとの評価が得られた。また、仕様２〜４では、その評価はほぼ同じであった。
【００８２】
配光揺れに関しては、図１３に示すように、フロスト処理を施さない従来例では、気になるとの評価が多いのに対し、フロスト処理領域を設けた仕様１〜４のいずれにおいても、気にならないとの評価が得られた。特に仕様３，４が優れた評価を得た。
【００８３】
配光ムラに関しては、図１４に示すように、仕様１とフロスト処理を施さない従来例とは、ほぼ同程度の低い評価である。そして、フロスト処理領域が大きい仕様ほど評価が高まり、アークスポット正対領域にフロスト処理領域を設けた仕様４では、最大の評価を得た。また、仕様４では、フロスト処理領域１７が０．４ｍｍの幅でフロスト処理領域１６に繋がっているが、フロスト処理領域１７の幅を電極０．２ｍｍとして中央のフロスト処理領域１６（長手方向の長さ３．８ｍｍ）に繋がった形態（フロスト処理領域１７の側縁が電極４の先端に接する形態）においても、配光ムラについては仕様４とほとんど同程度の評価であった。
【００８４】
なお、前記した実施の形態では、所定のクリアカットラインＣＬ（ＣＬ１，ＣＬ２）を形成する遮光部を、シュラウドガラス管５外表面に設けた遮光膜（ピンストライプ）５ａ，５ｂと、アークチューブ本体を取り囲む金属製の遮光シェード１５の双方によって構成しているが、所定のクリアカットラインＣＬ（ＣＬ１，ＣＬ２）を形成する遮光部を、シュラウドガラス管５外表面に設けた遮光膜（ピンストライプ）５ａ，５ｂだけで構成してもよい。この場合の金属製の遮光シェード１５は、前方への直射光やリフレクター１４の有効反射面１４ａ，１４ｂ以外に向かう光を遮光するためにのみ使用されるので、クリアカットラインＣＬ（ＣＬ１，ＣＬ２）に対応する遮光膜５ａ，５ｂに整合するように金属製の遮光シェード１５を形成する必要がない。
【００８５】
また、一般的ではないが、所定のクリアカットラインＣＬ（ＣＬ１，ＣＬ２）を形成する遮光部を、アークチューブ本体を取り囲む金属製の遮光シェード１５だけで構成してもよい。
【００８６】
また、前記した実施の形態では、密閉ガラス球３ａ内に水銀が封入されていない水銀フリーアークチューブを備えた放電バルブ２０について説明したが、密閉ガラス球３ａ内に水銀が封入されている水銀入りアークチューブを備えた放電バルブについても同様に適用できることは言うまでもない。
【図面の簡単な説明】
【００８７】
【図１】本発明の実施の形態である放電バルブを光源として適用した自動車用前照灯の正面図である。
【図２】同前照灯の縦断面図（図１に示す線ＩＩ−ＩＩに沿う断面図）である。
【図３】同放電バルブの縦断面図である。
【図４】遮光シェードの斜視図である。
【図５】同前照灯の配光パターンを示す図である。
【図６】同前照灯の配光パターンを示す図光源ユニットにおけるアークチューブの放電軸を含む水平断面図である。
【図７】配光パターンにおけるクリアカットラインに沿った領域の一部拡大正面図である。
【図８】シュラウドガラス管に設けるフロスト処理領域の位置とその大きさを示す図である。
【図９】フロスト処理領域の位置および大きさを異にする仕様１〜４を示す図図である。
【図１０】仕様１〜４それぞれについてのアーク像の形状（拡散距離と曲がり）を示す図である。
【図１１】仕様１〜４それぞれについての配光性能（最大光度，最大光度位置，有効利用光束）を示す図である。
【図１２】仕様１〜４それぞれについてのクリアカットラインの暗部に対する評価結果を示す図である。
【図１３】仕様１〜４それぞれについての配光揺れに対する評価結果を示す図である。
【図１４】図１４は仕様１〜４それぞれについての配光ムラに対する評価結果を示す図である。
【図１５】従来の放電バルブを装着したリフレクター周辺の拡大断面図である。
【図１６】同バルブの拡大縦断面図である。
【図１７】リフレクターと光源であるアークチューブによって形成される配光パターン（リフレクターを配光設計する際のアークチューブのアークと配光スクリーンに投影されるアーク像との関係）を示す斜視図である。
【図１８】クリアカットラインに沿って投影されたアーク像の拡大図である。
【符号の説明】
【００８８】
２  アークチューブ本体
３  アークチューブ
３ａ  放電発光部である密閉ガラス球
４  電極
５  シュラウドガラス管
５ａ，５ｂ  クリアカットライン形成用の遮光部である遮光膜（ピンストライプ）
１４  リフレクター
１４ａ，１４ｂ  リフレクターの有効反射面
１４ａ１〜１４ａ２，１４ｂ１  分割反射面
１５  金属製の遮光シェード
１５ｂ３，１５ｂ４  クリアカットライン形成用の遮光部である遮光シェードの開口側縁
１６  配光パターンのクリアカットラインに沿ったフロスト処理領域
１７  アークスポットに対応するフロスト処理領域
２０  放電バルブ
ＰＡ（ＰＡ１，ＰＡ２）  配光パターン
ＣＬ（ＣＬ１，ＣＬ２）  クリアカットライン
Ａ１  拡大アーク像
Ｂ１  暗部
【図１】
2006024489.tif 000003
【図２】
2006024489.tif 000004
【図３】
2006024489.tif 000005
【図４】
2006024489.tif 000006
【図５】
2006024489.tif 000007
【図６】
2006024489.tif 000008
【図７】
2006024489.tif 000009
【図８】
2006024489.tif 000010
【図９】
2006024489.tif 000011
【図１０】
2006024489.tif 000012
【図１１】
2006024489.tif 000013
【図１２】
2006024489.tif 000014
【図１３】
2006024489.tif 000015
【図１４】
2006024489.tif 000016
【図１５】
2006024489.tif 000017
【図１６】
2006024489.tif 000018
【図１７】
2006024489.tif 000019
【図１８】
2006024489.tif 000020